(57)【要約】【課題】食卓やコタツなどのテーブルに簡単に装着することができ、小物を収容するテーブルポケットを実現する。【解決手段】本発明に係るテーブルポケットは、裏面を密着性があり滑り止め機能を備えた材質、例えばＭＢＲ樹脂やポリウレタン樹脂などで形成した平面部１と、外表面にポケット２を形成し上端縁を平面部１の側縁に接合したポケット基布３とで構成する。そして、平面部１をテーブル４の表面に配置してポケット基布３をテーブル４の側縁から垂らし、ポケット基布３に形成したポケット２に小物を収容するべく使用する。平面部１の形状は例えば直角三角形とし、二辺の側縁にポケット基布３を接合して平面部１をテーブルの隅部分に配置し、ポケット基布３をそれぞれテーブルの二辺の側縁から垂らす。【選択図】  図１
2008099806.tif 000002
【特許請求の範囲】
【請求項１】
裏面を密着性があり滑り止め機能を備えた材質で形成した平面部と、外表面にポケットを形成し上端縁を平面部の側縁に接合したポケット基布とで構成し、平面部をテーブルの表面に配置してポケット基布をテーブルの側縁から垂らし、ポケット基布に形成したポケットに小物を収容するべく使用することを特徴とするテーブルポケット。
【請求項２】
平面部の平面形状を三角形とし該三角形の二辺の側縁にポケット基布を接合し、三角形の平面部をテーブルの隅部分に配置し、ポケット基布をそれぞれテーブルの二辺の側縁から垂らして使用することを特徴とする請求項１記載のテーブルポケット。
【請求項３】
平面部とポケット基布とは、側縁を重ね合わせた状態で接合し、接合状態を開いた内面をテーブルの側縁に沿わせて使用する請求項１又は２記載のテーブルポケット。
【発明の詳細な説明】
【技術分野】
【０００１】
この発明は、食卓やコタツなどのテーブルにおいて、手元にあるめがねや散乱しがちな小物を収容するために使用するテーブルポケットに関する発明である。
【背景技術】
【０００２】
部屋の壁面などにおいて、小物を整理収容するポケットとして壁掛け式のポケットが知られている。
壁面にぶら提げて使用する壁掛け式のポケット以外に、特許文献１には、袋状の本体に対して方形板状の挿入部を設け、挿入部を適宜の隙間、例えばコタツ板とコタツ布団の間に挿入して使用するものが開示されている。特許文献２には、ポケットを形成する基台の上縁に掛止部、例えば軸を取付けた小物入れポケットの発明が開示されている。  特許文献３には、二つのポケット部を連結部材で連結し、連結部材を例えば冷蔵庫の上面に掛け渡して小物入れを形成する思想が開示されている。
【特許文献１】特開平５−２８５０３６号公報
【特許文献２】実開昭６２−４０９８２号公報
【特許文献３】実開昭５４−５８２２５号公報
【発明の開示】
【発明が解決しようとする課題】
【０００３】
従来の一般的な壁掛け式のポケットや、特許文献１ないし３に開示されたポケットは、いずれも、ポケットを形成する基板、基布もしくはポケットの上端に掛止具を備え、掛止具によってぶら提げた状態でポケットとして使用するものである。しかしながら、食卓などのテーブルそのものにポケットを装着することができないとともに、特許文献１に開示されている、挿入部をコタツ板とコタツ布団の間に挿入する方法や、特許文献２の図３や図４に開示されているように、掛止部をコタツ板と布団の間に掛止する方法では、掛止が面倒であるとともに掛止状態が安定せず、不用意に外れてしまう可能性がある。
【０００４】
近年ＭＢＲ樹脂、ポリウレタン樹脂、シリコーン樹脂のように、密着性があり摩擦抵抗が大きく滑り止め機能を備えた材質が各種開発されている。
本発明は、上記滑り止め機能を備えた材質を利用することによって、前記従来技術の欠点を解消するテーブルポケットを実現するものである。すなわち、食卓のテーブルの天板やコタツ板といったテーブルの上に載置するだけで、簡単にポケットを形成することができるとともに、従来の掛止具のように邪魔になる部分がなく、安心して使用することができるテーブルポケットを提供することを目的とするものである。
【課題を解決するための手段】
【０００５】
上記、目的を達成するため、本発明に係るテーブルポケットは、平面部１と、外表面にポケット２を形成し上端縁を平面部の側縁に接合したポケット基布３とで構成する。このとき、平面部１の裏面を、密着性があり滑り止め機能を備えた材質で形成する。
上記テーブルポケットは平面部１をテーブル４の表面に配置、平面部１の側縁とテーブル４の側縁を一致させ、ポケット基布３をテーブルの側縁から垂らし、ポケット基布３に形成したポケット３に小物５を収容するように使用する。
【０００６】
平面部１の平面形状は、方形その他任意形状に形成することが可能であるが、現実的な形状として三角形とすることができる。そして、三角形である平面部１の二辺の側縁にポケット基布３を接合し、三角形の平面部１をテーブル４の隅部分に配置し、ポケット基布３をそれぞれテーブルの二辺の側縁から垂らして使用する。
平面部１とポケット基布３とは、側縁を重ね合わせた状態で接合し、接合状態を開いた内面をテーブルの側縁に沿わせて使用するようにするのが好ましい。
【発明の効果】
【０００７】
請求項１記載の本発明テーブルポケットによれば、平面部１をテーブル４の表面に配置してポケット基布３をテーブル４の側縁から垂らすことによって、テーブル４にポケットを装着することができ、食卓やリビングのテーブルあるいはコタツの天板にポケットを設け、散乱し勝ちなめがねや筆記具などの小物を収容し、これらの散逸を防止することができる。
【０００８】
請求項２記載の発明によれば、平面部１を三角形とし、三角形の二辺の側縁にポケット基布３を接合し、三角形の平面部１をテーブルの隅部分に配置し、ポケット基布３をそれぞれテーブルの二辺の側縁から垂らして使用することによって、テーブルの二つの辺にポケットを形成することができる。さらに、ポケットに入れた小物の重量やポケット基布の重量による力が、異なる方向に作用するため、比較的滑り落ち難くなる効果がある。
【０００９】
請求項３記載の発明によれば、平面部１とポケット基布３とは、側縁を重ね合わせた状態で接合し、接合状態を開いた内面をテーブルの側縁に沿わせて使用することによって、ポケット基布３はテーブル４の側縁に接近するように作用し滑り止め効果を向上させる効果がある。例えばコタツの天板のようにテーブル表面の周縁に縁材10を装着したものでは、縁材10の膨らみが接合部分に入り込み、より安定して使用することができる。
【発明を実施するための最良の形態】
【００１０】
以下、本発明に係るテーブルポケットの好ましい実施形態を、添付の図面に基づいて説明する。
図１は、本発明の実施形態を示すテーブルポケットの使用状態を示す斜視図、図２はその平面図、図３は平面部とポケット基布との接合部分の拡大断面図である。
【００１１】
図１に示すテーブルポケットは、直角三角形の平面部１と、直角をなす二つの辺に接合した二つのポケット基布３、３とで構成する。平面部１は、図３に示すように帆布のような厚手の表地６と、シート状の裏地７とを重ね合わせ、裏地７として滑り止め機能を有する材質のものを採用している。一方、ポケット基布３は、前記平面部１の表地６と同様に厚手の布によって形成し、その表面に適宜ポケット２(図面上二つのポケット)を配置している。
【００１２】
平面部１とポケット基布３は、図３の(ａ)に示すように、側縁を上下に重ね合わせ、重ね合わせた状態の側縁を縁テープ８で巻回して、縫着９によって両者を接合している。  接合手段は、平面部１やポケット基布３の材質によって接着や溶着であってもよい。縁テープ８は、平面部１とポケット基布３の重ね合わせ部分だけでなく、ポケット基布３の単体部分の周縁にも縫着して見栄えのよいように縫製している。
【００１３】
平面部１とポケット基布３は、図３の(ａ)の状態で縫製し、図３の(ｂ)に示すように開いて平面部１をテーブル４の上に配置し、ポケット基布３をテーブルの縁に接近させて垂らす。このとき、重ね合わせによる接合部分は、平面部１とポケット基部３自体の接合状態による方向性によって、ポケット基布３をテーブルに接近させるように作用する。そのため、テーブルポケット全体を安定良く配置することができ、ポケット基布３に形成したポケット２に小物を収容した場合に、重量によって作用する下向きの力Ｆをなるべく効果的に支受し、平面部１を側方に移動させようとする力を小さくすることになる。特に、テーブル４の周縁に縁材10が装着されているようなものでは、縁材10の膨らみが平面部１とポケット基布３の接合部分に入り込むように作用し、ポケット基布３の支持力を向上させるものである。
【００１４】
図１に示す、平面部１が直角三角形で、二つの辺にポケット基布３を配置したものでは、ポケット基布３にそれぞれ重量が掛かり、その重量が平面部１を側方へ移動させようとする力として作用するが、平面部１の滑り止め力によって滑り落ちるのが防止される。このとき、図２に示すように、一方の側方への力をF1、もう一方の側方への力をF2とすると、平面部１には合成力F3が作用することになるが、合成力F3は力F1とF2の和よりも小さくなる。すなわち、平面部１で発揮するべき滑り止め力を小さなものとし、テーブルポケットを安定良く装着させる。
【００１５】
図１、図２から理解されるように、直角三角形の直角部分は隅丸形状とし、隅丸のアール部分を除く直線部分の範囲内にポケット基布１の上端縁を縫着している。そのため、ポケット基布３は直線部分に安定良く配置されるとともに、重なり合うようなことなくテーブル４の二つの辺にポケット基布３を配置させることができる。
【００１６】
図２に示す実施形態では、平面部１の形状は直角二等辺三角形であるが、平面部１の形状は必ずしも二等辺三角形である必要はなく、長い辺と短い辺とで構成する直角三角形とし、大きなポケット基布と小さなポケット基布で構成することもできる。さらに、平面部１を三角形ではなくて、方形あるいは任意形状であって、二つの辺がテーブルの二つの辺に平行に形成され、二つのポケット基布が接合されるものであってもよい。
平面部１によって実現することができる滑り止め力は、その材質によって異なる。したがって、平面部１裏面の材質によって平面部の大きさを決定するのが好ましい。例えば、平面部１を滑り止め力がやや小さな材質のものであっても、平面部１の大きさを比較的大きな、装飾的として機能する形状として実施することもできる。
【００１７】
図４に示す実施形態は、平面部１を隅丸の略方形とし、一つの辺に一つのポケット基布３を接合するものである。この実施形態では、テーブルの隅ではなく、側面の中間位置に配置する。テーブル側面の中間位置は、人が位置することが多いものであるから、平面部１の大きさや形状を、例えばランチョンマットとして機能させることもできる。
【００１８】
本発明は、テーブル表面に配置する平面部１の滑り止め力によって、ポケット２を形成したポケット基布３の重量を支受するものであり、テーブル４の表面に当接する平面部１の裏地として、密着性があり滑り止め機能を備えたものであれば、どのような材質であってもよい。換言すれば、摩擦抵抗が大きなものであれば、例えば、ＭＢＲ樹脂、ポリウレタン樹脂、シリコーン樹脂などのシート材を利用することができ、採用する裏地の材質によって、材質固有の密着性や摩擦抵抗の違いを勘案し、平面部１の大きさを決定することができる。
【図面の簡単な説明】
【００１９】
【図１】図１は、本発明の実施形態を示すテーブルポケットの使用状態を示す斜視図、
【図２】図２は、図１に示すテーブルポケットの平面図、
【図３】図３は、平面部とポケット基布との接合部分の拡大断面図、
【図４】図４は、本発明の別の実施形態を示すテーブルポケットの使用状態を示す斜視図である。
【符号の説明】
【００２０】
１…平面部、  ２…ポケット、３…ポケット基布、  ４…テーブル、  ５…小物、  ６…表地、  ７…裏地、  ８…縁テープ、  ９…縫着、  10…縁材。
【図１】
2008099806.tif 000003
【図２】
2008099806.tif 000004
【図３】
2008099806.tif 000005
【図４】
2008099806.tif 000006